(57)【要約】【課題】復帰安全確認をより早く安全に実施することができる復帰安全確認方法および電子式ガスメータを提供すること。【解決手段】電子式ガスメータは、ガス流路を遮断する遮断弁からなる遮断部９と、遮断弁によりガス供給が遮断される遮断事象の発生後に、復帰信号の入力に基づき遮断弁を弁開してガス供給を復帰させる際に復帰安全を確認する復帰安全確認手段２〜５，８とを備え、復帰安全確認手段２〜５，８は、極小流量燃焼器具の設定の有無を判定すると共に、復帰安全確認中遮断からの復帰か否かを判定し、前記２つの判定結果に応じて漏洩流量と比較するための基準値を異なる値に設定し、復帰後のガス流量が基準値より大きいと判定された場合は遮断弁を弁閉して復帰安全確認中遮断を行い、基準値以下と判定された場合は復帰安全確認終了とする。【選択図】図１
2005257448.tif 000002
【特許請求の範囲】
【請求項１】
ガスメータの遮断弁が弁閉されてガス供給が遮断される遮断事象の発生後に、復帰信号の入力に基づき前記遮断弁を弁開してガス供給を復帰させる際に復帰安全を確認する復帰安全確認方法であって、
極小流量燃焼器具の設定の有無を判定すると共に、復帰安全確認中遮断からの復帰か否かを判定し、前記２つの判定結果に応じて漏洩流量と比較するための基準値を異なる値に設定し、復帰後のガス流量が前記基準値より大きいと判定された場合は遮断弁を弁閉して復帰安全確認中遮断を行い、前記基準値以下と判定された場合は復帰安全確認終了とする
ことを特徴とする復帰安全確認方法。
【請求項２】
請求項１記載の復帰安全確認方法において、
前記２つの判定結果に応じて漏洩流量と比較するための基準値を異なる値に設定する際、極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定する
ことを特徴とする復帰安全確認方法。
【請求項３】
ガス流路を遮断する遮断弁からなる遮断部と、前記遮断弁によりガス供給が遮断される遮断事象の発生後に、復帰信号の入力に基づき前記遮断弁を弁開してガス供給を復帰させる際に復帰安全を確認する復帰安全確認手段とを備えた電子式ガスメータであって、
前記復帰安全確認手段は、極小流量燃焼器具の設定の有無を判定すると共に、復帰安全確認中遮断からの復帰か否かを判定し、前記２つの判定結果に応じて漏洩流量と比較するための基準値を異なる値に設定し、復帰後のガス流量が前記基準値より大きいと判定された場合は遮断弁を弁閉して復帰安全確認中遮断を行い、前記基準値以下と判定された場合は復帰安全確認終了とする
ことを特徴とする電子式ガスメータ。
【請求項４】
請求項３記載の電子式ガスメータにおいて、
前記復帰安全確認手段は、前記２つの判定結果に応じて漏洩流量と比較するための基準値を異なる値に設定する際、極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定する
ことを特徴とする電子式ガスメータ。
【請求項５】
請求項４記載の電子式ガスメータにおいて、
前記復帰安全確認手段は、
前記ガス流路を流れるガスの瞬時流量を監視する流量監視部と、
前記流量監視部からの検出出力が供給され、供給された検出出力に基づいて演算を行って瞬時流量値を算出するデータ演算部と、
前記データ演算部で算出された前記瞬時流量値を記憶するデータ記憶部と、
予め設定された基準値を記憶する基準値記憶部と、
前記データ記憶部に記憶されている前記瞬時流量値と、前記基準値記憶部に記憶されている前記基準値とを比較し、比較結果を出力するデータ比較部と、
極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定し、前記極小流量設定なし用基準値、極小流量設定あり用第１基準値または極小流量設定あり用第２基準値を前記基準値とする前記データ比較部よりの比較結果により、前記瞬時流量値が前記基準値より大きかった場合は、前記遮断弁を弁閉してガス供給を遮断すると共に、前記流量が前記基準値以下であった場合は前記遮断弁の弁開を維持して復帰安全確認終了とする制御部と
を含むことを特徴とする電子式ガスメータ。
【発明の詳細な説明】
【技術分野】
【０００１】
本発明は、ガス供給異常等に起因するガス供給の遮断後にガス供給を復帰する際の安全を確認する復帰安全確認方法および該方法を実施する電子式ガスメータに関する。
【背景技術】
【０００２】
近年、電子式ガスメータは、ガス流路を流れるガスの流量を計測する機能の他に、流量が予め定めた合計流量値（接続する燃焼器の消費流量を合計して予め設定される）を越えた場合や、所定期間以上連続して燃焼器が使用された場合に、ガス流路中のガスの漏洩または燃焼器の消し忘れ等の異常を検出すると共に、ガス遮断弁を弁閉させてガス流路を通じてのガス供給を遮断する安全遮断機能を有するものが増加している。
【０００３】
また、異常時の安全遮断機能の他に、ガスメータの作動状況を確認するためにテスト的にガス遮断弁を弁閉させてガス流路を通じてのガス供給を遮断するテスト遮断機能を併せ持つものもある。
【０００４】
そこで、安全遮断機能やテスト遮断機能等により弁閉されたガス遮断弁を弁開して復帰させる際には、ガス漏れがないか安全確認しつつ、安全であるときのみガス遮断弁を弁開して復帰させる必要がある。そこで、ガスメータには、これらの遮断機能による遮断後に漏洩の有無を所定時間（復帰安全確認時間）の間確認し、漏洩がなければ通常の使用状態にする機能を搭載している。この機能を復帰安全確認機能という。
【０００５】
復帰安全確認パラメータは２種類あり、１つは極小流量の燃焼器具がない場合、もう１つは極小流量の燃焼器具がある場合である。極小流量燃焼器具の有無設定については、家屋の状況に応じてガス事業者が設定することとなっている。
【０００６】
極小流量燃焼器具は、その使用ガス流量が使用時間遮断機能における燃焼器具の流量区分のうちの最小流量区分（流量２１Ｌ／ｈ以下）に該当する燃焼器具であり、たとえば、一般家庭におけるガステーブル等がある。使用時間遮断機能は、燃焼器具の使用時間が異常に長い場合、燃焼器具の消し忘れまたは器具栓の不完全閉止などによるガス漏れと判断し、ガスを遮断する機能である。極小流量燃焼器具の設定がある場合（すなわち、極小流量燃焼器具がある場合）は、８．３Ｌ／ｈ〜２１Ｌ／ｈの範囲の極小流量で使用時間遮断が行われる。
【０００７】
Ｓ型ガスメータにおける復帰安全確認完了時間は、極小流量燃焼器具の設定がない場合６０秒、極小流量燃焼器具の設定がある場合１５０秒が必要となるのであるが、現状、ガス事業者が施工作業を実施する際も、復帰安全確認の完了を待つ必要があり、特に極小流量の燃焼器具ありに設定されている場合は、待ち時間が長くなり、作業効率が悪くなる。
【０００８】
瞬時流量計である電子式ガスメータにおいても、極小流量区分の有無によって、復帰安全確認の判定時間は大きく影響を受ける。瞬時流量計において復帰安全確認を短時間で終わらせることが、従来の膜式ガスメータと比較した場合の最大のアピールポイントである。これを実現するための手段として、復帰信号入力後の瞬時流量を検知し、漏洩流量の有無判定を確認して復帰安全確認を完了させるのが一般的ロジックである。
【発明の開示】
【発明が解決しようとする課題】
【０００９】
ところが、極小流量区分での漏洩があった場合は、復帰後、漏洩流量を安定して検知するまでの時間が、極小流量なしの場合と比較してかなり長く必要となる。これは、配管パラメータが持つ物理的現象であり、ガスメータが検知した結果から規定時間内に漏洩の有無を判定しようとした場合、判定基準をかなり厳しいものにしないと、正確な判定ができない。一方、判定基準を甘くした場合、誤判定によって漏洩があるにもかかわらず、使用許可をしてしまう可能性があり、これが最悪の事態になるおそれがある。
【００１０】
そこで本発明は、上述した従来の問題点に鑑み、復帰安全確認をより早く正確に実施することができる復帰安全確認方法および電子式ガスメータを提供することを目的としている。
【課題を解決するための手段】
【００１１】
請求項１記載の発明の復帰安全確認方法は、ガスメータの遮断弁が弁閉されてガス供給が遮断される遮断事象の発生後に、復帰信号の入力に基づき前記遮断弁を弁開してガス供給を復帰させる際に復帰安全を確認する復帰安全確認方法であって、極小流量燃焼器具の設定の有無を判定すると共に、復帰安全確認中遮断からの復帰か否かを判定し、前記２つの判定結果に応じて漏洩流量と比較するための基準値を異なる値に設定し、復帰後のガス流量が前記基準値より大きいと判定された場合は遮断弁を弁閉して復帰安全確認中遮断を行い、前記基準値以下と判定された場合は復帰安全確認終了とすることを特徴とする。
【００１２】
請求項２記載の発明は、請求項１記載の復帰安全確認方法において、前記２つの判定結果に応じて漏洩流量と比較するための基準値を異なる値に設定する際、極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定することを特徴とする。
【００１３】
請求項３記載の発明の電子式ガスメータは、ガス流路を遮断する遮断弁からなる遮断部と、前記遮断弁によりガス供給が遮断される遮断事象の発生後に、復帰信号の入力に基づき前記遮断弁を弁開してガス供給を復帰させる際に復帰安全を確認する復帰安全確認手段とを備えた電子式ガスメータであって、前記復帰安全確認手段は、極小流量燃焼器具の設定の有無を判定すると共に、復帰安全確認中遮断からの復帰か否かを判定し、前記２つの判定結果に応じて漏洩流量と比較するための基準値を異なる値に設定し、復帰後のガス流量が前記基準値より大きいと判定された場合は遮断弁を弁閉して復帰安全確認中遮断を行い、前記基準値以下と判定された場合は復帰安全確認終了とすることを特徴とする。
【００１４】
請求項４記載の発明は、請求項３記載の電子式ガスメータにおいて、前記復帰安全確認手段は、前記２つの判定結果に応じて漏洩流量と比較するための基準値を異なる値に設定する際、極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定することを特徴とする。
【００１５】
請求項５記載の発明は、請求項４記載の電子式ガスメータにおいて、前記復帰安全確認手段は、前記ガス流路を流れるガスの瞬時流量を監視する流量監視部と、前記流量監視部からの検出出力が供給され、供給された検出出力に基づいて演算を行って瞬時流量値を算出するデータ演算部と、前記データ演算部で算出された前記瞬時流量値を記憶するデータ記憶部と、予め設定された基準値を記憶する基準値記憶部と、前記データ記憶部に記憶されている前記瞬時流量値と、前記基準値記憶部に記憶されている前記基準値とを比較し、比較結果を出力するデータ比較部と、極小流量燃焼器具の設定の有無を監視し、設定なしの場合は前記基準値を極小流量設定なし用基準値に設定し、設定ありの場合はさらに復帰安全確認中遮断からの復帰か否かを判定し、復帰安全確認中遮断からの復帰でなければ、前記基準値を極小流量設定なし用基準値より小さい極小流量設定あり用第１基準値に設定し、復帰安全確認中遮断からの復帰であれば、前記基準値を前記極小流量設定あり用第１基準値より大きい前記極小流量設定あり用第２基準値に設定し、前記極小流量設定なし用基準値、極小流量設定あり用第１基準値または極小流量設定あり用第２基準値を前記基準値とする前記データ比較部よりの比較結果により、前記瞬時流量値が前記基準値より大きかった場合は、前記遮断弁を弁閉してガス供給を遮断すると共に、前記流量が前記基準値以下であった場合は前記遮断弁の弁開を維持して復帰安全確認終了とする制御部とを含むことを特徴とする。
【発明の効果】
【００１６】
本発明によれば、極小流量燃焼器具の設定の有無と復帰安全確認中遮断からの復帰か否かとの条件に依存して、漏洩流量の比較基準値を異なる値に設定することにより、復帰安全確認作業をより早く安全に実施することができ、ガス事業者の施工時の作業効率を向上させることができる。また、復帰安全確認時間の間に漏洩流量があれば再び遮断し、漏洩流量がなければ復帰安全確認終了とするので、安全性が向上する。
【発明を実施するための最良の形態】
【００１７】
以下、本発明に係る復帰安全確認方法を実施する電子式ガスメータの実施の形態について図面を参照して説明する。
【００１８】
図１は、本発明の実施の形態に係る復帰安全確認方法を実施する電子式ガスメータを示すブロック図である。図１において、電子式ガスメータは、流量監視部１、データ演算部２、データ記憶部３、基準値記憶部４、データ比較部５、復帰信号入力部６、制御部８および遮断部９から構成される。
【００１９】
流量監視部１、データ演算部２、データ記憶部３、基準値記憶部４、データ比較部５および制御部８は、請求項における復帰安全確認手段として働く。
【００２０】
流量監視部１は、ガス流路を流れるガスの流量を監視するものであり、瞬時流量を検出することができる超音波センサやフローセンサ等の流量センサからなる。データ演算部２は、所定値間隔の流量サンプリングによる流量監視部１からの流量検出出力が供給され、供給された流量検出出力に基づいて演算を行って、瞬時流量を算出する。
【００２１】
データ記憶部３は、データ演算部２で算出された瞬時流量を記憶する。基準値記憶部４は、予め設定された３つの基準値を記憶している。３つの流量しきい値のうち、２つは、極小流量燃焼器具の設定の有無に対応するものであり、極小流量燃焼器具の設定がない場合に対応する極小流量設定なし用基準値と、極小流量設定あり用第１基準値である。残りの１つは、極小流量燃焼器具設定あり時に漏洩流量の誤判定があった場合に対応するものである極小流量設定あり用第２基準値である。
【００２２】
各基準値の具体的な値は、たとえば、極小流量設定なし用基準値＝５リットル／時（Ｌ／ｈ）、極小流量設定あり用第１基準値＝１（Ｌ／ｈ）、極小流量設定あり用第２基準値＝５（Ｌ／ｈ）と設定される。
【００２３】
データ比較部５は、データ記憶部３に記憶された瞬時流量と、基準値記憶部４に記憶されている基準値とをそれぞれ比較し、それらの比較結果を出力する。復帰信号入力部６は、復帰ボタン（図示しない）の押下によりオン操作される遮断弁開スイッチ（図示しない）からなる。
【００２４】
制御部８は、流量監視部１に所定値間隔で流量サンプリングを実施するように指示する指示信号を出力する。また、制御部８は、データ比較部５からの比較結果の入力に応じて、遮断部９を遮断弁が弁閉となるように制御する遮断弁閉信号、または遮断弁が弁開となるように制御する遮断弁復帰信号を出力する。遮断部９は、制御部８からの遮断弁復帰信号または遮断弁閉信号で制御されてガス流路を開閉する遮断弁からなる。
【００２５】
なお、データ演算部２、データ記憶部３、基準値記憶部４、データ比較部５および制御部８は、ＣＰＵ、ＲＯＭおよびＲＡＭを有するマイクロコンピュータで構成することができ、この場合は、ＣＰＵは、データ演算部２、データ比較部５および制御部８として働き、ＲＯＭは基準値記憶部４として働き、ＲＡＭはデータ記憶部３として働く。
【００２６】
上述の構成において、制御部８は、復帰信号入力部６からの復帰信号を受けると、遮断部９へ遮断弁復帰信号を出力し、復帰安全確認モードに移行する。同時に、制御部８は、データ比較部５に判定基準設定を指示する。指示を受けたデータ比較部５は、データ記憶部３から現状の設定状態を確認し、その設定状態に対応した判定基準を基準値記憶部４から取り込み、設定する。復帰信号出力完了後、制御部８は、瞬時流量監視部１に流量サンプリングの実施を指示する。それぞれのサンプリング結果は、データ演算部２で演算され、演算された瞬時流量値がデータ記憶部３に記憶される。記憶された瞬時流量値は、データ比較部５によって基準値と比較され、漏洩流量の有無チェックが実行される。漏洩を検知した場合は、制御部８は、遮断部９へ遮断弁閉信号を出力し、遮断弁を弁閉させて遮断する。また、漏洩なしと判定した場合は、制御部８は、復帰安全確認を終了し通常の使用を許可する。また、遮断判定した際の設定が、極小流量ありであった場合は、次回の復帰安全確認時に判定基準を切り替えて同一処理を実施する。
【００２７】
次に、上述の電子式ガスメータの復帰安全確認機能の動作を図２に示すフローチャートを参照して説明する。
【００２８】
まず、何らかの遮断機能による遮断後、復帰ボタンの押下により遮断弁開スイッチがオン操作されることによって、復帰信号入力部６からの復帰信号が制御部８に入力される（ステップＳ１）。
【００２９】
次に、制御部８は、復帰信号の入力に基づいて遮断弁復帰信号を出力する（ステップＳ２）。それにより、遮断部９は、制御部８からの遮断弁復帰信号で制御され、遮断弁が開にされる。
【００３０】
次に、制御部８は、データ記憶部３に記憶されている現状の設定状態（極小流量燃焼器具の有無の設定）を確認し、極小流量燃焼器具ありの設定になっているか否かを判定する（ステップＳ３）。その答がＮｏの場合（すなわち、極小流量燃焼器具なしの設定になっている場合）、次いで、データ比較部５における比較の基準値として極小流量設定なし用基準値（５Ｌ／ｈ）をセットし（ステップＳ４）、次いでステップＳ８に進む。
【００３１】
一方、ステップＳ３の答がＹｅｓならば（すなわち、極小流量燃焼器具ありの設定になっている場合）、次いで、制御部８は、復帰安全確認中遮断からの復帰か否かを後述するフラグにより判定し（ステップＳ５）し、その答がＹｅｓならば、次にステップＳ６に進み、Ｎｏならば、次にステップＳ７に進む。ここでは、１回目の復帰安全確認作業であり復帰安全確認中遮断からの復帰ではないので、ステップＳ７に進み、データ比較部５における比較の基準値として極小流量設定あり用第１基準値（１Ｌ／ｈ）をセットし（ステップＳ６）、次いでステップＳ８に進む。
【００３２】
ステップＳ８で、制御部８は、流量監視部１へ瞬時流量のサンプリングを指示する。それにより、流量監視部１から流量検出信号が出力され、データ演算部２で演算され、演算された瞬時流量値Ｑｎがデータ記憶部３に記憶される。
【００３３】
次に、データ比較部５は、データ記憶部３に記憶された瞬時流量Ｑｎが基準値より大きい（Ｑｎ＞基準値）か否かを判定する（ステップＳ９）。この判定は、ステップＳ４でセットされた極小流量設定なし用基準値（すなわち、５Ｌ／ｈ）またはステップＳ６でセットされた極小流量設定あり用第１基準値（１Ｌ／ｈ）との比較に基づいて行われる。ステップＳ９の答がＮｏならばステップＳ１０に進み、ＹｅｓならばステップＳ１１に進む。
【００３４】
ステップＳ１０で、制御部８は、復帰安全確認終了として復帰安全確認信号を出力し、次いで処理を終了する。
【００３５】
一方、ステップＳ１１で、制御部８は、遮断弁閉信号を出力して、遮断部９における遮断弁を閉になるように制御してガス流路を閉じ、次いで処理を終了する。ステップＳ１１の遮断弁閉は、復帰安全確認中遮断と呼ばれ、復帰安全確認中遮断があったことを示すフラグが立てられ、記憶される。
【００３６】
そして、復帰安全確認中遮断が行われて処理が終了した場合は、２回目の復帰信号入力時に、ステップＳ５における復帰安全確認中遮断からの復帰か否かは、このフラグに基づいて判定される。すなわち、フラグが立っていれば、復帰安全確認中遮断からの復帰であり（ステップＳ５のＹｅｓ）、フラグが立っていなければ、復帰安全確認中遮断からの復帰ではない（ステップＳ５のＮｏ）と判定されるのである。
【００３７】
復帰安全確認中遮断からの復帰であれば（ステップＳ５のＹｅｓ）、データ比較部５における比較の基準値として極小流量設定あり用第２基準値（５Ｌ／ｈ）をセットし（ステップＳ６）、次いでステップＳ８および９に進む。
【００３８】
それにより、データ比較部５は、データ記憶部３に記憶された瞬時流量Ｑｎが極小流量設定あり用第２基準値（５Ｌ／ｈ）より大きい（Ｑｎ＞第２基準値）か否かを判定し（ステップＳ９）、その答がＮｏならばステップＳ１０に進み、ＹｅｓならばステップＳ１１に進む。
【００３９】
このように、極小流量燃焼器具の設定の有無により、漏洩有無を判定する精度が大きくするので、極小流量燃焼器具の設定ありの場合に限っては、漏洩なしとの差が非常に小さいことから、短時間判定と安全性の両方を優先したい場合には、安全サイドで誤判定の影響を軽減する必要がある。基本的には、漏洩有無を切り分けできる値を比較基準値とするのであるが、復帰直後は、メータ下流側に一時的に大きな流れの変化が発生するため、不安定状態で流量を計測する可能性があり、その結果として再度遮断に至るケースが発生する。しかし、遮断してしまった場合については、次回（２回目）の復帰信号を入力するまでに流量が安定するための十分な時間を確保することができるため、２回目の復帰については、漏洩の有無にかかわらず安定した流量を検知することが可能になる。そのため、判定値としても、１回目の判定時よりは、判定基準を緩和した状態に設定しても、十分な判定精度をもつことができる。
【００４０】
以上のように、本発明によれば、極小流量燃焼器具の設定の有無と復帰安全確認中遮断からの復帰か否かとの条件に依存して、漏洩流量の比較基準値を異なる値に設定することにより、復帰安全確認作業をより早く安全に実施することができ、ガス事業者の施工時の作業効率を向上させることができる。また、復帰安全確認時間の間に漏洩流量があれば再び遮断し、漏洩流量がなければ復帰安全確認終了とするので、安全性が向上する。
【００４１】
以上の通り、本発明の実施の形態について説明したが、本発明はこれに限らず、種々の変形、応用が可能である。
【００４２】
たとえば、上述の実施形態における極小流量設定なし用基準値、極小流量設定あり用第１基準値および極小流量設定あり用第２基準値の各値は、適宜変更可能である。
【図面の簡単な説明】
【００４３】
【図１】本発明の実施の形態に係る復帰安全確認方法を実施する電子式ガスメータを示すブロック図である。
【図２】図１の電子式ガスメータの復帰安全確認機能の処理動作を示すフローチャートである。
【符号の説明】
【００４４】
１    流量監視部（復帰安全確認手段の一部）
２    データ演算部（復帰安全確認手段の一部）
３    データ記憶部（復帰安全確認手段の一部）
４    基準値記憶部（復帰安全確認手段の一部）
５    データ比較部（復帰安全確認手段の一部）
６    復帰信号入力部
８    制御部（復帰安全確認手段の一部）
９    遮断部
【図１】
2005257448.tif 000003
【図２】
2005257448.tif 000004